(57)【要約】【課題】  外針への取り付けが容易で、かつ不用意に外針から外れることを防止できるコネクターを備えた留置針セットを提供すること。【解決手段】  カニューレ２１と、内部に開閉孔２５ａを有する弁体２５が設置されたハウジング２２とからなる外針２０と、金属針３１とハブ３２とからなる内針３０と、コネクター４０とで留置針セットＡを構成した。そして、ハウジング２２にガイド溝２７と係合穴２８とを連通して設け、コネクター４０に、可撓性片４３ａを設けるとともに、可撓性片４３ａの外側面に、係合穴２８に係合できガイド溝２７の最狭部２７ａを通過できない係合突起４３ｂを設けた。さらに、係合突起４３ｂの外側端面に、コネクター４０の中心軸側に押圧することにより、可撓性片４３ａを撓ませて係合穴２８と係合突起４３ｂとの係合を解除させる押圧部４５を設けた。【選択図】  図１５
2006262979.tif 000002
【特許請求の範囲】
【請求項１】
内腔を備えたカニューレと、前記カニューレの基部に連結され内部に前記カニューレの内腔に連通する流路が設けられたハウジングとからなる外針と、
内腔を備え前記カニューレの先端開口部から先端部を突出させた状態で前記外針内に挿入可能な金属針と、前記金属針の基部に連結されたハブとからなる内針と、
前記ハウジング内に設けられ、前記外針内に挿入される金属針を液密的に通すことができるとともに前記金属針が挿通していないときには前記流路を閉塞する開閉孔を有する弁体と、
前記弁体の開閉孔に液密的に挿通できる挿通管を備え、前記内針が前記外針から取り外されているときに、前記挿通管を前記開閉孔に挿通させた状態で、前記外針のハウジングに連結できるコネクターとを備えた留置針セットであって、
前記ハウジングと前記コネクターとに、係合突部と係合凹部とからなり、前記係合突部と前記係合凹部のうちの一方側を前記ハウジングまたは前記コネクターの外周面側から中心軸側に向けて押圧することにより解除できる係合機構を複数個設けるとともに、前記係合突部と前記係合凹部との一方側を前記ハウジングまたは前記コネクターの外周面側から中心軸側に押圧するための係合解除部を設けたことを特徴とする留置針セット。
【請求項２】
前記係合機構を、前記ハウジングにおける前記コネクターの挿入口側端部から前記カニューレ側に向かって設けられたガイド溝と、前記ガイド溝の奥端部に連通して設けられ前記ガイド溝の奥端部の幅よりも大きな幅を有する係合穴とからなる係合凹部と、
前記コネクターに設けられ、前記ハウジング内に挿入可能であるとともに、前記コネクターの中心軸に向かって撓むことのできる可撓性片と、前記可撓性片の外側面に設けられ前記ガイド溝の奥端部の幅よりも大きな幅を備えているとともに、前記係合穴内に入って前記係合穴に係合できる係合突起とからなる係合突部とで構成し、
前記係合解除部を、前記係合突起の外側端面に設けられ、前記ガイド溝を通過できる押圧部で構成し、前記押圧部を押圧して前記可撓片を前記コネクターの中心軸側に撓ませることにより前記係合凹部と前記係合突部を係合させたり、その係合を解除させたりすることができるようにした請求項１に記載の留置針セット。
【発明の詳細な説明】
【技術分野】
【０００１】
本発明は、血液透析等を行う際に血管に留置される留置針を備えた留置針セットに関する。
【背景技術】
【０００２】
従来から、留置針セットを用いて、患者の血管に対して、血液透析を行ったり、所定の薬液等を供給したりする処置が行われている。このような場合に用いられる留置針セットは、患者の血管内に留置するための外針と、外針の内部に挿入され、外針を患者の血管に穿刺する処置をスムーズにするための内針とを備えている。そして、使用の際には、内針を外針内に挿入し、内針の先端部を外針の先端部から僅かに突出させた状態で、外針を内針とともに血管に穿刺する。ついで、外針を血管に留置した状態で、内針を外針（血管）から抜き取り、外針の後端部に所定の血液や薬液等を供給するためのチューブ部材等を接続することによって血液透析や薬液等の供給が行われる。
【０００３】
また、このような留置針セットが備える留置針の中には、外針から内針を抜き取る際に、血液が外針の後端部から吐出することを防止するための弁体や、外針とチューブ部材等を接続するためのコネクターを備えたものがある（例えば、特許文献１参照）。この留置針では、外針の後端部に弁体が取り付けられており、この弁体に、内針を液密的に挿通させるとともに、内針を抜いたときには閉塞する開閉孔が設けられている。そして、コネクターは、弁体の開閉孔に挿通可能な挿通管と内周面にねじが形成された筒状のスクリューアダプターとで構成されており、スクリューアダプターのねじを、外針の後端外周部に形成された環状突起に螺合させることにより、外針に対して位置変更可能な状態で取り付けられている。
【特許文献１】特開２００１―４６５０７号公報
【発明の開示】
【０００４】
しかしながら、前述した従来の留置針セットでは、コネクターの外針への取り付けを、外針の環状突起とコネクターのねじとの螺合によって行うため操作が面倒であるという問題がある。また、従来の留置針の中には、単に、外針の後端部に挿通管を挿し込むだけでコネクターを外針に取り付けるものもあるが、これによると、使用中にコネクターが緩んでしまう恐れがある。
【０００５】
本発明はこのような事情に鑑みなされたのもで、その目的は、外針への取り付けが容易で、かつ不用意に外針から外れることを防止できるコネクターを備えた留置針セットを提供することにある。
【０００６】
前述した目的を達成するため、本発明に係る留置針セットの構成上の特徴は、内腔を備えたカニューレと、カニューレの基部に連結され内部にカニューレの内腔に連通する流路が設けられたハウジングとからなる外針と、内腔を備えカニューレの先端開口部から先端部を突出させた状態で外針内に挿入可能な金属針と、金属針の基部に連結されたハブとからなる内針と、ハウジング内に設けられ外針内に挿入される金属針を液密的に通すことができるとともに金属針が挿通していないときには流路を閉塞する開閉孔を有する弁体と、弁体の開閉孔に液密的に挿通できる挿通管を備え、内針が外針から取り外されているときに、挿通管を開閉孔に挿通させた状態で、外針のハウジングに連結できるコネクターとを備えた留置針セットであって、ハウジングとコネクターとに、係合突部と係合凹部とからなり、係合突部と係合凹部のうちの一方側をハウジングまたはコネクターの外周面側から中心軸側に向けて押圧することにより解除できる係合機構を複数個設けるとともに、係合突部と係合凹部との一方側をハウジングまたはコネクターの外周面側から中心軸側に押圧するための係合解除部を設けたことにある。
【０００７】
前述したように構成した本発明の留置針セットでは、ハウジングとコネクターとに、互いに係合する係合突部と係合凹部とからなる係合機構を設けて、コネクターを外針に連結できるようにしている。この場合、例えば、コネクターをハウジング内に差し込むことにより外針に連結することができる。したがって、外針へのコネクターの取り付けが容易になるとともに、コネクターが外針から外れることを防止できるようになる。
【０００８】
また、コネクターを外針から外す際には、係合解除部を押圧することにより係合突部と係合凹部との係合を解除できるため、その操作も容易になる。また、係合機構および係合解除部は複数個で構成されているため、すべての係合解除部を押圧しなければ係合機構の係合解除が行われず、不用意にコネクターが外針から外れることがなくなる。この場合、ハウジングに係合凹部を設けて、コネクターに係合突部を設けてもよいし、ハウジングに係合突部を設けて、コネクターに係合凹部を設けてもよい。また、本発明において、液密的とは、弁体の開閉孔の周面が金属針の周面に密着した状態になり、その間に液体が浸入できない状態とする。
【０００９】
また、本発明に係る留置針セットの他の構成上の特徴は、係合機構を、ハウジングにおけるコネクターの挿入口側端部からカニューレ側に向かって設けられたガイド溝と、ガイド溝の奥端部に連通して設けられガイド溝の奥端部の幅よりも大きな幅を有する係合穴とからなる係合凹部と、コネクターに設けられハウジング内に挿入可能であるとともにコネクターの中心軸に向かって撓むことのできる可撓性片と、可撓性片の外側面に設けられガイド溝の奥端部の幅よりも大きな幅を備えているとともに係合穴内に入って係合穴に係合できる係合突起とからなる係合突部とで構成し、係合解除部を、係合突起の外側端面に設けられガイド溝を通過できる押圧部で構成し、押圧部を押圧して可撓片をコネクターの中心軸側に撓ませることにより係合凹部と係合突部を係合させたり、その係合を解除させたりすることができるようにしたことにある。
【００１０】
このように構成した留置針セットでは、係合機構の係合突部を、可撓性片と可撓性片の外側面に設けられた係合突起とで構成し、係合凹部を、ガイド溝とガイド溝の奥端部に設けられた係合穴とで構成している。そして、係合突起の幅をガイド溝の奥端部の幅よりも大きく、係合穴の幅よりも小さくしている。したがって、係合突起は、係合穴内に入って係合穴に係合し、コネクターをハウジングに固定することはできるが、ガイド溝の奥端部を通過することはできなくなっている。このため、係合突起が係合穴に係合した状態で、コネクターをハウジングから引き抜こうとしてもコネクターはハウジングから外れない。
【００１１】
また、係合解除部を、係合突起の外側端面に設けられた押圧部で構成し、この押圧部がガイド溝の奥端部を通過できるようにしている。このため、押圧部をコネクターの中心軸側に押すことにより可撓性片を撓ませて係合突起と係合穴との係合を解除することができる。この場合、係合突起は、ハウジングの内部側に位置し、押圧部が係合穴に位置するようになる。したがって、この状態で、コネクターをハウジングの開口から引き出すように移動させることにより、押圧部がガイド溝内を通過するため、コネクターをハウジングから取り外すことができる。
【００１２】
また、コネクターをハウジングに取り付ける際にも、押圧部を押さえた状態で、ガイド溝内を通過させることにより、コネクターをハウジング内に挿入することができる。そして、押圧部が係合穴に位置したときに押圧部を放すことにより、可撓性片が、その弾性によって元の押圧されてない状態に復元し、係合突起と係合穴とが係合する。この結果、コネクターを引っ張っても、係合突起がガイド溝を通過できないため、コネクターはハウジング内に係合された状態を維持する。また、係合機構が複数個設けられているため、例え、係合機構の１個が不注意で解除されても、他の係合機構は係合した状態を維持し、コネクターがハウジングから外れることはない。
【００１３】
また、本発明に係る留置針セットにおいては、ハウジング内における内針の挿入口側に針先保護具を設置し、この針先保護具に、金属針に対して係合可能な金属針挿通孔と、金属針が金属針挿通孔内に位置しているときには、金属針の側部によってハウジングの所定部分に押圧されて針先保護具をハウジング内に固定した状態に維持し、金属針が金属針挿通孔から引き抜かれるとハウジングの所定部分への押圧が解除されて針先保護具を移動可能な状態にする弾性部材とを設け、金属針が金属針挿通孔から引きぬかれるときに、針先保護具が金属針の先端部を被覆した状態で、金属針とともに、ハウジングから引き出されるようにすることもできる。
【００１４】
このように構成すると、患者の血管に外針および内針の先端部を穿刺したのちに、外針から内針を抜き取ると、針先保護具が内針の先端部を被覆した状態で内針とともに外針から抜き取られる。このため、操作者が内針の先端部で怪我をすることがなくなり安全性が向上する。
【発明を実施するための最良の形態】
【００１５】
以下、本発明に係る留置針セットを図面を用いて説明する。図１は、同実施形態に係る留置針セットＡを示しており、この留置針セットＡは、患者の血管に留置される留置針等で構成されている。すなわち、留置針セットＡは、収容ケース１０と、患者の血管に刺し込まれる外針２０と、外針２０の内部に挿入可能な先端部を有する内針３０と、外針２０の後端部に接続可能なコネクター４０とで構成されている。収容ケース１０は、図２に示したように組み付けられた外針２０と内針３０とを収容するケース本体１１と、コネクター４０を収容するコネクター収容部１２とを備えている。
【００１６】
ケース本体１１は、一端が閉塞された長い筒状の容器で構成され、他端開口部にケース本体１１の開口を開閉する長いキャップ状の蓋部１３が着脱可能に取り付けられている。また、蓋部１３の他端は、コネクター収容部１２の一端に着脱可能になっている。コネクター収容部１２は、一端が閉塞された短い筒状の容器で構成され、他端開口部にコネクター収容部１２の開口を開閉する短いキャップ状の蓋部１４が着脱可能に取り付けられている。このため、収容ケース１０は、ケース本体１１と蓋部１３との内部に、組み付けられた状態の外針２０と内針３０とを出し入れ自在に収容し、コネクター収容部１２と蓋部１４との内部にコネクター４０を出し入れ自在に収容している。そして、蓋部１３とコネクター収容部１２とを組み付けることにより、これらを一体的にすることができる。
【００１７】
外針２０は、図３および図４に示したように、細管状のカニューレ２１と、カニューレ２１の基部（図示の右側に位置する後端部）に連結されたハウジング２２とを備えている。そして、ハウジング２２は、中央に位置しハウジング２２の本体部分を構成するハウジング本体２２ａと、カニューレ２１とハウジング本体２２ａとを接続する接続部２２ｂと、ハウジング本体２２ａの後端部に形成され、外針２０にコネクター４０を連結するための連結部２２ｃとで構成されている。
【００１８】
カニューレ２１の先端部は、患者の血管内に留置されて、血管から血液を取り出したり、血管に薬液等を供給したりする。接続部２２ｂは、先端側が細くなった先細りの筒状に形成されており、細径側先端部にカニューレ２１の後端部が接続され、大径側後端部にハウジング本体２２ａが接続されている。ハウジング本体２２ａは、接続部２２ｂの後端部外周を覆うようにして接続部２２ｂに接続されており、後端部内周には、内径が接続部２２ｂの内径と略同一に設定されたフランジ状の突部２３が形成されている。そして、ハウジング本体２２ａの内部における接続部２２ｂの後端面と突部２３との間には、フィルター２４と弁体２５とが並んで設けられている。
【００１９】
フィルター２４は、疎水性材料をリング状に形成したものであり、空気等の気体は通過させるが血液等の液体は通過させない性質を有している。また、弁体２５は、弾性を備えたイソプレンゴムからなっており中心軸に沿った部分に開閉孔２５ａ形成されている。この開閉孔２５ａは通常時には、図５に示したように閉塞状態を維持しているが、図１および図２に示したように、外針２０内に内針３０を挿入したときや、後述するように、外針２０にコネクター４０を挿入したときには、内針３０の先端側挿入部分やコネクター４０の先端側挿入部分を液密的に通すことができる。また、ハウジング本体２２ａと接続部２２ｂとの境界部には、接続部２２ｂの内部側からフィルター２４を通過した気体を外部に放出するための気体通路２６が形成されている。
【００２０】
連結部２２ｃは、内径がハウジング本体２２ａの外径と略同じ大きさに設定された軸方向の長さが短い円筒状に形成されている。そして、連結部２２ｃの上部および下部には、連結部２２ｃの後端縁部から連結部２２ｃの軸方向に沿った中央側に延びるガイド溝２７がそれぞれ形成され、ガイド溝２７の奥端部に係合穴２８が形成されている。図６に示したように、ガイド溝２７は、後端側が幅広で先端側に行くほど徐々に幅が狭くなるように形成されており、係合穴２８は、ガイド溝２７の最狭部２７ａの幅よりも直径が大きくなった略円形の穴部で構成されている。
【００２１】
内針３０は、図７に示したように、ステンレス製の金属針３１と、金属針３１の基端側部分（図示の右側に位置する後端部）に固定されたハブ３２と、ハブ３２の後端部に着脱可能に取り付けられたプラグ３３とで構成されている。金属針３１は細管状の注射針からなっており、先端部３１ａが軸方向に対して傾斜して形成された先鋭部で構成されている。また、金属針３１における先端部３１ａよりもやや後端側部分に、段部３１ｂが形成されており、この段部３１ｂを挟んで先端側の直径が後端側の直径よりもやや大きくなるように設定されている。この金属針３１は、カニューレ２１の先端部を患者の血管に刺し込む際に、その刺し込みがスムーズに行えるようにするためのもので、外針２０の後端部から差し込まれ、弁体２５の開閉孔２５ａを通過してカニューレ２１の先端開口から先端部３１ａを外部に突出させた状態で使用される。
【００２２】
ハブ３２は、内針３０を持つための把持部として機能する部分であり、金属針３１の後端部の外周部を被覆するようにして金属針３１に固定されている。このハブ３２は、中央部に位置して金属針３１を固定するハブ本体３２ａと、金属針３１の周面から所定間隔を保った状態でハブ本体３２ａの前部側に形成された筒状の収容部３２ｂと、ハブ本体３２ａの後部側に形成され、後方に向って開口した凹部を備えた筒状のプラグ取付部３２ｃとで構成されている。そして、収容部３２ｂの前端周縁部にフランジ状の鍔部３２ｄが形成されている。
【００２３】
プラグ３３は、プラグ取付部３２ｃの開口を開閉するための蓋として用いられるもので、プラグ取付部３２ｃの凹部内に着脱可能に押し込むことのできる円筒状の栓部３３ａと、栓部３３ａの後端部に固定され、後方に向って開口した凹部を備えた把持部３３ｂとで構成されている。そして、把持部３３ｂの凹部内の奥端部にはセルロース製のフィルター３３ｃが設けられている。このフィルター３３ｃは、空気は通すが血液は通さないように構成されている。
【００２４】
このように構成された外針２０と内針３０とは、使用前には、図２に示したように組み付けられており、その際には、外針２０と内針３０との境界部に、針先保護具３５が設置されている。この針先保護具３５は、図８に示したように構成されており、外針２０の連結部２２ｃ内に挿入可能な円筒箱状のばね収容部３６と、内針３０の収容部３２ｂ内に挿入可能な筒状の挿入部３７とを備えている。そして、ばね収容部３６内の上下方向の中央よりもやや下方部分に係止部３６ａが設けられ、ばね収容部３６の上面には突出用孔３６ｂが設けられている。また、ばね収容部３６の前面における略中央には、金属針３１が挿通できる挿通孔３６ｃが設けられている。
【００２５】
また、ばね収容部３６内における係止部３６ａとばね収容部３６の上面部との間に、昇降台３８ａと、昇降台３８ａの上面中央から上方に向かって延び突出用孔３６ｂから外部に向って突出できる突出棒３８ｂとからなる昇降部材３８が設けられている。そして、突出棒３８ｂの外周に、ステンレス製のコイルばね３９が取り付けられている。このコイルばね３９の直径は突出用孔３６ｂの直径よりも大きく設定され、突出用孔３６ｂから突出できなくなっている。したがって、昇降台３８ａを上方に移動させたときには、突出棒３８ｂが突出用孔３６ｂから外部に突出し、コイルばね３９は、昇降台３８ａを上方に移動させる力に抗して収縮する。
【００２６】
また、挿入部３７の内部には、内径が金属針３１の先端側部分の外径と略等しく設定された挿通孔３７ａが形成されている。そして、この挿通孔３７ａの後端部には、内径がやや小さくなった小径部３７ｂが形成されており、この小径部３７ｂの端に形成される段が、金属針３１の段部３１ｂと係合可能になっている。この挿通孔３７ａは、ばね収容部３６内の空間部を介して挿通孔３６ｃに連通している。このように構成された針先保護具３５は、挿通孔３７ａ，３６ｃに金属針３１を挿通させ、挿入部３７を収容部３２ｂ内に挿入させた状態で内針３０に組み付けられる。その際、金属針３１によって昇降部材３８が上方に押し上げられ、突出棒３８ｂをハウジング２２の係合穴２８内に係合させた状態で、針先保護具３５は、外針２０の連結部２２ｃ内に設置される。この突出棒３８ｂと係合穴２８との係合によって、針先保護具３５は、ハウジング２２内に固定された状態を維持する。
【００２７】
コネクター４０は、図９に示したように、基管４１と、基管４１の先端部から前方に延びる細径の挿通管４２と、基管４１の先端外周部の上下部分から前方に延びる一対の係合突部４３と、基管４１の先端外周部の左右部分から前方に延びる一対の弾性ガイド部４４とで構成されている。コネクター４０は、外部のチューブ部材４６（図１４および図１５参照）等に接続されて、チューブ部材４６等から供給される薬液等を外針２０に送るためのもので、基管４１の後端外周部には、チューブ部材４６等の端部を接続するためのねじ部４１ａが形成されている。
【００２８】
挿通管４２は、内径が均一で外径が基管４１側の基部４２ａが大きく、先端側の挿入部４２ｂが小さく設定された段状の管で構成されており、挿入部４２ｂは、弁体２５の開閉孔２５ａに液密的に挿入可能になっている。また、係合突部４３は、それぞれ基管４１の先端外周部から延びる弾性を備えた薄板状の可撓片４３ａと、可撓片４３ａの外側面から外部側に向って突出した短い円柱状の係合突起４３ｂとで構成されている。そして、係合突起４３ｂの端面中央部から外側に向って、係合突起４３ｂよりも細径に形成された円柱状の本発明の係合解除部としての押圧部４５が突出している。また、弾性ガイド部４４は、基管４１の先端外周部から延びる四角状の薄板で構成されている。
【００２９】
コネクター４０は、挿入部４２ｂを弁体２５の開閉孔２５ａに挿入させ、可撓片４３ａおよび弾性ガイド部４４を連結部２２ｃ内に挿入させた状態でハウジング２２に連結される。その際、図１０に示したように、係合突起４３ｂが、係合穴２８に係合し、押圧部４５が連結部２２ｃの外部に突出した状態になる。また、ハウジング２２にコネクター４０を取り付ける場合や、ハウジング２２からコネクター４０を取り外す際には、図１１に示したように、押圧部４５を連結部２２ｃの内部側に押して、係合突起４３ｂを連結部２２ｃの内部側に位置させる。これによって、押圧部４５の太さがガイド溝２７の最狭部２７ａの幅よりも小さいため、押圧部４５はガイド溝２７内を移動可能になり、コネクター４０のハウジング２２への取り付けや取り外しが可能になる。
【００３０】
なお、ガイド溝２７と係合穴２８とで本発明に係る係合凹部が構成され、可撓片４３ａと係合突起４３ｂとで本発明に係る係合突部が構成される。そして、この係合凹部と係合突部とで本発明に係る係合機構が構成される。また、外針２０とコネクター４０とで留置針が構成される。さらに、留置針セットＡを構成する収容ケース１０はポリスチレンで構成され、外針２０、内針３０の金属針３１以外の部分、針先保護具３５のコイルばね３９以外の部分およびコネクター４０は、透明または半透明のポリプロピレンで構成されている。また、内針３０のハブ３２は、金属針３１を介して内部に血液が入ったときにその確認ができるように透明材料で構成されている。
【００３１】
この構成において、留置針セットＡを使用する場合には、まず、図１に示したように、収容ケース１０内に収容された外針２０等を取り出して、外針２０と内針３０とを組み合わせた状態で、カニューレ２１の先端部を金属針３１の先端部３１ａとともに患者の例えば腕に穿刺して血管まで到達させる。これによって、血管内の血液が、金属針３１内に浸入して、ハブ３２のハブ本体３２ａ内に入り込む。この結果、ハブ３２の色が赤くなるため、金属針３１の先端部３１ａが血管に到達したことを確認することができる。この際、金属針３１内の空気は、血液によって金属針３１内の後端側に押し込まれ、フィルター３３ｃを通過して外部に放出される。
【００３２】
ついで、外針２０を患者の血管に留置したままの状態で、図１２に示したように、内針３０を外針２０の後部側に引いていく。これによって、内針３０の収容部３２ｂから針先保護具３５の挿入部３７が抜け、金属針３１が弁体２５の開閉孔２５ａや挿入部３７の挿通孔３７ａの周面に摺接しながら外針２０から後退していく。さらに、内針３０を外針２０の後部側に引いていき、金属針３１の先端部３１ａが、針先保護具３５のばね収容部３６内を通過すると、コイルばね３９の復元力によって、昇降部材３８が下降し、突出棒３８ｂと係合穴２８との係合が解除される。
【００３３】
これによって、針先保護具３５は移動可能な状態になり、金属針３１の段部３１ｂと挿入部３７の挿通孔３７ａの小径部３７ｂの端に形成される段との係合によって、針先保護具３５は金属針３１とともにハウジング２２から抜け出て、図１３の状態になる。この場合、金属針３１は、弁体２５の開閉孔２５ａ内を通過して出ていくが、金属針３１と開閉孔２５ａの内周面とは液密的に密着しているため、開閉孔２５ａから血液が外部に漏れ出ることがない。また、外針２０から内針３０を抜き取ったのちには、開閉孔２５ａは閉塞状態になるため、ハウジング２２の後端部から血液が吐出することもない。
【００３４】
つぎに、図１４に示したように、コネクター４０の基管４１にチューブ部材４６の接続部４７を接続する。この接続は、基管４１のねじ部４１ａに接続部４７の内周面に設けられた突部４７ａを係合させることにより行う。そして、ハウジング２２内に、コネクター４０を挿し込んで、図１５の状態にする。この場合、前述したように、コネクター４０の両押圧部４５を押さえた状態で、コネクター４０をハウジング２２内に押し込む。そして、チューブ部材４６に接続された薬液等の供給装置を作動させて、薬液等を血管に供給する。以上のようにして、留置針セットＡの使用が行われる。なお、コネクター４０をハウジング２２に連結する際に、予め、少量の薬液等を挿入部４２ｂから出しておく。これによって、カニューレ２１内に空気が入ることを防止できる。
【００３５】
このように、この留置針セットＡでは、ハウジング２２にガイド溝２７と係合穴２８を設け、コネクター４０に、中心軸側に撓むことのできる可撓片４３ａと、可撓片４３ａの外側面に設けられ係合穴２８に係合できるがガイド溝２７内を通過できない係合突起４３ｂとを設けている。さらに、係合突起４３ｂの端面中央部に突部からなる押圧部４５を設けている。したがって、押圧部４５を押して可撓片４３ａを撓ませた状態で、コネクター４０をハウジング２２内に差し込むことにより容易に外針２０に連結することができる。また、係合突起４３ｂと係合穴２８との係合により、コネクター４０が外針２０から外れることを防止できる。
【００３６】
さらに、コネクター４０を外針２０から外す際には、押圧部４５を押圧することにより係合突起４３ｂと係合穴２８との係合を解除できるため、押圧部４５を押した状態で、コネクター４０をハウジング２２から引き出すことにより容易に外針２０から外すことができる。また、係合突部と係合凹部とからなる係合機構を２組設けているため、双方の押圧部４５を押圧しなければ係合機構の係合解除が行われず、不用意にコネクター４０が外針２０から外れることがなくなる。
【００３７】
また、本発明に係る留置針セットは、前述した実施形態に限定するものでなく、適宜変更して実施することができる。例えば、前述した実施形態では、係合凹部をガイド溝２７と係合穴２８とで構成しているが、このガイド溝２７は省略することができるし、上下に貫通したものでなく、ハウジング２２の内面に形成された溝部で構成することもできる。この場合、押圧部４５がハウジング２２の内部側を通過するようにする。また、前述した実施形態では、コネクター４０に設けられた押圧部４５を押圧することにより係合突起４３ｂと係合穴２８との係合を解除するようにしているが、ハウジングに係合穴を備えた可撓片を設けるとともに、コネクターの内周面に係合穴と係合可能な係合突起を設けることもできる。この場合、係合解除部はハウジング側に設ける。
【００３８】
さらに、前述した実施形態では、外針２０、内針３０の金属針３１以外の部分、針先保護具３５のコイルばね３９以外の部分およびコネクター４０をポリプロピレンで構成しているが、これらを構成する材料についても、適宜変更することができる。例えば、ハウジング２２、ハブ３２、コネクター４０については、ポリカーボネート、ポリウレタン、ナイロン、シリコーン、ポリエーテルイミド、ポリエーテルエーテルケトン、ＡＢＳ樹脂、ポリエチレン等の各材料を用いて形成することができる。
【００３９】
また、カニューレ２１は、フッ素樹脂、ポリウレタン等の材料を用いて形成することができる。さらに、弁体２５については、シリコーン、ポリ塩化ビニール、軟質ウレタン等の材料を用いて形成することができ、コイルばね３９については、チタン、ポリエーテルエーテルケトン、ポリカーボネート等の材料を用いて形成することができる。さらに、本発明に係る留置針セットは、血管に限らず、十二指腸等の腸、腎盂、膀胱などの体内の部位に対しても使用することができる。
【図面の簡単な説明】
【００４０】
【図１】本発明の一実施形態に係る留置針セットを示した断面図である。
【図２】外針と内針を組み付けた状態を示した断面図である。
【図３】外針を示した側面図である。
【図４】図３に示した外針の断面図である。
【図５】図３の５−５断面図である。
【図６】ガイド溝と係合穴を示した平面図である。
【図７】内針を示した断面図である。
【図８】針先保護具を示した断面図である。
【図９】コネクターを示しており、（ａ）は平面図、（ｂ）は側面図、（ｃ）は断面図である。
【図１０】係合穴に係合突起を係合させた状態を示しており、（ａ）は平面図、（ｂ）は断面図である。
【図１１】係合穴と係合突起とを係合またはその係合を解除する状態を示した断面図である。
【図１２】外針から内針を引き抜いていく状態を示した断面図である。
【図１３】外針から内針を引き抜いた状態を示した断面図である。
【図１４】コネクターにチューブ部材を接続させた状態を示した断面図である。
【図１５】コネクターを外針に接続させた状態を示した断面図である。
【符号の説明】
【００４１】
２０…外針、２１…カニューレ、２２…ハウジング、２２ａ…ハウジング本体、２２ｂ…接続部、２２ｃ…連結部、２５…弁体、２５ａ…開閉孔、２７…ガイド溝、２７ａ…最狭部、２８…係合穴、３０…内針、３１…金属針、３１ａ…先端部、３２…ハブ、３２ａ…ハブ本体、３２ｂ…収容部、３２ｃ…プラグ取付部、４０…コネクター、４１…基管、４２…挿通管、４２ｂ…挿入部、４３…係合突部、４３ａ…可撓片、４３ｂ…係合突起、４５…押圧部、Ａ…留置針セット。
【図１】
2006262979.tif 000003
【図２】
2006262979.tif 000004
【図３】
2006262979.tif 000005
【図４】
2006262979.tif 000006
【図５】
2006262979.tif 000007
【図６】
2006262979.tif 000008
【図７】
2006262979.tif 000009
【図８】
2006262979.tif 000010
【図９】
2006262979.tif 000011
【図１０】
2006262979.tif 000012
【図１１】
2006262979.tif 000013
【図１２】
2006262979.tif 000014
【図１３】
2006262979.tif 000015
【図１４】
2006262979.tif 000016
【図１５】
2006262979.tif 000017